(57)【要約】【課題】グループ内で情報検索のノウハウを共有し、グループ全体の情報検索能力を向上させることができる情報検索ノウハウ管理システムを提供する。【解決手段】情報検索ノウハウ管理システム１において、インターネット上の情報を検索して必要な情報を取得し、その検索に応じて検索の履歴を示す検索履歴情報を生成して取得する情報取得装置２と、取得した必要な情報及び検索履歴情報を対応付けて共有可能に管理する情報共有管理装置３とを備える。【選択図】図１
2007128367.tif 000002
【特許請求の範囲】
【請求項１】
インターネット上の情報を検索して必要な情報を取得し、その検索に応じて前記検索の履歴を示す検索履歴情報を生成して取得する情報取得装置と、
取得した前記必要な情報及び前記検索履歴情報を対応付けて共有可能に管理する情報共有管理装置と、
を備えることを特徴とする情報検索ノウハウ管理システム。
【請求項２】
前記検索履歴情報は、前記必要な情報を有するウェブページのアドレス情報を含んでいることを特徴とする請求項１に記載の情報検索ノウハウ管理システム。
【請求項３】
前記検索履歴情報は、前記検索に用いた検索式を含んでいることを特徴とする請求項１又は２に記載の情報検索ノウハウ管理システム。
【請求項４】
前記検索履歴情報は、前記必要な情報を有するウェブページの要約情報を含んでいることを特徴とする請求項１、２又は３に記載の情報検索ノウハウ管理システム。
【請求項５】
前記情報共有管理装置は、前記検索履歴情報を公開することを特徴とする請求項１ないし４のいずれか一に記載の情報検索ノウハウ管理システム。
【請求項６】
前記情報共有管理装置は、前記検索履歴情報をカテゴリ分析することを特徴とする請求項１ないし４のいずれか一に記載の情報検索ノウハウ管理システム。
【請求項７】
前記情報共有管理装置は、前記検索履歴情報の優先度を決定することを特徴とする請求項１ないし４のいずれか一に記載の情報検索ノウハウ管理システム。
【請求項８】
前記情報取得装置は、前記検索履歴情報に基づいて再検索を行うことを特徴とする請求項１ないし４のいずれか一に記載の情報検索ノウハウ管理システム。
【発明の詳細な説明】
【技術分野】
【０００１】
本発明は、情報検索ノウハウ管理システムに関する。
【背景技術】
【０００２】
現在、インターネットが普及し、様々な情報がインターネット上のＷｅｂページ（ウェブページ）に掲載されている。その多くのＷｅｂページから必要な情報を入手する手段として、検索エンジンは欠かせないものになっている。また、Ｗｅｂサイトにおけるサイト内検索サービスも欠かせないものになっている。
【０００３】
通常、個人は、インターネット上から必要な情報を得るために検索エンジンを用いており、適当な検索式を入力して検索エンジンに問い合わせ、その結果、スコアリングや要約を付して返されるＷｅｂページの一覧上から、必要な情報を含む目的のＷｅｂページを取得している。個人は、そのＷｅｂページを再度見る必要性がある場合等、そのＷｅｂページが有用であると判断した場合、そのＷｅｂページを「お気に入り」あるいは「ブックマーク」として登録する。
【０００４】
また、最近では、グループ内の個人が取得した情報をグループ内で共有する情報共有システムが提案されている。この情報共有システムにより、情報の共有に加え、情報のカテゴリ化も行うことができる。一方、データを格納する全データ格納装置から必要とするデータを抽出する際のノウハウを共用する情報処理ノウハウ共有方法も提案されている（例えば、特許文献１参照）。
【特許文献１】特開平１０−２３２８７４号公報
【発明の開示】
【発明が解決しようとする課題】
【０００５】
しかしながら、情報検索のノウハウ、例えば、情報入手先の検索エンジン又は検索サービスがあるＵＲＬは何か、検索式（サーチワード）は何か、要約の内容はどうであったかというようなノウハウは、通常、管理されておらず、個人のノウハウのままである。特に、グループ内のメンバの中には、情報検索が上手な個人や情報検索が下手な個人が存在するため、グループ全体の情報検索能力の水準を上げることは困難である。
【０００６】
本発明は、上記に鑑みてなされたものであり、その目的は、グループ内で情報検索のノウハウを共有し、グループ全体の情報検索能力を向上させることができる情報検索ノウハウ管理システムを提供することである。
【課題を解決するための手段】
【０００７】
本発明の実施の形態に係る特徴は、情報検索ノウハウ管理システムにおいて、インターネット上の情報を検索して必要な情報を取得し、その検索に応じて検索の履歴を示す検索履歴情報を生成して取得する情報取得装置と、取得した必要な情報及び検索履歴情報を対応付けて共有可能に管理する情報共有管理装置とを備える。
【発明の効果】
【０００８】
本発明によれば、グループ内で情報検索のノウハウを共有し、グループ全体の情報検索能力を向上させることができる情報検索ノウハウ管理システムを提供することができる。
【発明を実施するための最良の形態】
【０００９】
本発明を実施するための最良の一形態について図面を参照して説明する。
【００１０】
（情報検索ノウハウ管理システムの構成）
図１に示すように、情報検索ノウハウ管理システム１は、様々な情報からグループ内等で必要とする必要な情報を取得する情報取得装置２と、その情報取得装置２により取得された必要な情報を共有情報として共有可能に管理する情報共有管理装置３とを通信網４により接続することによって構成されている。
【００１１】
情報取得装置２は、通信網４の一部であるインターネット上の情報（例えば技術情報や企業情報等の様々な情報）を検索して必要な情報を取得し、その検索に応じて検索の履歴を示す検索履歴情報を生成して取得する。この情報取得装置２は、グループ内の各個人が使用する個人端末として機能する。
【００１２】
情報共有管理装置３は、情報取得装置２により取得された必要な情報及び検索履歴情報を対応付けて保存し、共有情報としてグループ内で共有可能に管理する。これにより、グループ内の各個人が必要な情報及び検索履歴情報を閲覧したり、使用したりすることが可能になる。したがって、共有情報は、例えば、あるグループ内等で共有可能な情報である。また、情報共有管理装置３は、情報登録、情報表示及びカテゴリ分析等の各種機能を有している。この情報共有管理装置３は共有サーバ装置として機能する。
【００１３】
図２に示すように、情報取得装置２は、各部を集中的に制御する制御部２１、様々な画像（画面）を表示する画面部２２、通信網４を介する通信を行う通信部２３、操作者による入力操作を受け付ける操作部２４、情報を一時的に保存するキャッシュ部２５、ＨＴＴＰプロトコル等の入力情報からパラメタを抽出するパラメタ抽出部２６、検索履歴情報を格納する履歴部２８、情報の類似度合いを比較する類似比較エンジン部２７、及びお気に入り情報を格納するお気に入り部２９等を備えている。
【００１４】
画面部２２は、表示用の画像を作成する画面作成部２２ａ及び外部からの入力情報を検出する画面分析部２２ｂを有している。この画面部２２は、画面作成部２２ａにより作成された画像を表示したり、画面分析部２２ｂにより入力情報を検出する。
【００１５】
通信部２３は、情報共有管理装置３に対して通信網４を介する通信を行う。また、操作部２４は、操作者による入力操作を受け付けるキーボードやマウス等の入力デバイスにより構成されている。キャッシュ部２５は、外部からの入力情報等の各種情報を一時的に保存する。
【００１６】
パラメタ抽出部２６は、通信パーサ部２６ａ及び入力フック部２６ｂを有している。通信パーサ部２６ａは、ＨＴＴＰプロトコル等の入力情報からＵＲＬや検索式（例えばサーチワード）等を取得し、キャッシュ部２５に保存する。入力フック部２６ｂは、画面分析部２２ｂとともに入力情報を検出する。類似比較エンジン部２７は、現Ｗｅｂページ上の情報と履歴リスト内の情報との類似度を求める。
【００１７】
履歴部２８は、検索履歴情報、例えば履歴リスト（検索履歴リスト）を格納する。この履歴リストには、属性、要約、ＵＲＬ（Uniform Resource Locator）及び検索式が、目的のＷｅｂページに到達するまで順次格納される。ここで、属性は一般や検索エンジン等であり、要約はＷｅｂページの要約情報であり、ＵＲＬはＷｅｂページのアドレス情報であり、検索式は、必要な情報を有する目的のＷｅｂページを取得するために用いた式である。例えば、図３に示すように、属性、要約、ＵＲＬ及び検索式が目的のＷｅｂページ（最終Ｗｅｂページ）に到達するまで順次格納される。
【００１８】
お気に入り部２９は多段のフォルダにより構成されている。このお気に入り部２９は、操作部２４に対する操作者の入力操作に応じてお気に入り情報を格納する。このお気に入り情報は、ＵＲＬ、ＴＩＴＬＥ、別名、登録日及び履歴リストにより構成されている。ここで、ＴＩＴＬＥはＷｅｂページのＨＴＭＬのＴＩＴＬＥ情報であり、別名はＷｅｂページの内容を表す名称であり、登録日はＷｅｂページをお気に入り情報としてお気に入り部２９に登録した日付や日時等である。
【００１９】
お気に入り情報は、目的のＷｅｂページにおいて、操作部２４に対する操作者の入力操作により「お気に入りに追加」が選択された場合、お気に入り部２９に登録される。このとき、お気に入り部２９に登録された目的のＷｅｂページに到達するまでの履歴リストも、履歴部２８からお気に入り部２９に移され、目的のＷｅｂページに対応付けて登録される。その後、お気に入り情報及び必要な情報は、操作部２４に対する操作者の入力操作に応じて通信部２３により情報共有管理装置３に送信される。なお、お気に入り部２９に登録された目的のＷｅｂページは、必要な情報を有するＷｅｂページである。
【００２０】
図４に示すように、情報共有管理装置３は、各種情報の登録読出を行う情報登録読出部３１、通信網４を介する通信を行う通信部３２、カテゴリ分析を行うカテゴリエンジン部３３、情報の類似度合いを比較する類似比較エンジン部３４、及び情報取得装置２から送信された必要な情報及びお気に入り情報を共有情報、すなわち投稿情報及び検索情報として保持する知識共有部３５を備えている。
【００２１】
情報登録読出部３１は、情報取得装置２から送信された必要な情報及びお気に入り情報を投稿情報及び検索情報として知識共有部３５に登録し、また、その投稿情報及び検索情報を知識共有部３５から読み出す。
【００２２】
通信部３２は、各情報取得装置２に対して通信網４を介する通信を行う。カテゴリエンジン部３３は、知識共有部３５内の投稿情報や検索情報をカテゴリ分析する。また、類似比較エンジン部３４は、現Ｗｅｂページ上の情報と履歴リスト内の情報との類似度を求める。例えば、類似比較エンジン部３４は、現Ｗｅｂページの要約と、検索情報に含まれる履歴リストの要約との類似度を求める。
【００２３】
知識共有部３５は、投稿情報を格納する情報データベース３５ａ及び検索情報を格納する検索ノウハウデータベース３５ｂを有している。ここで、投稿情報（投稿メッセージ）は必要な情報（例えば技術情報や企業情報等の様々な情報）である。また、検索情報はお気に入り情報であり、投稿情報を得るために参考になった情報である。この検索情報は、ＵＲＬ、ＴＩＴＬＥ、別名、登録日及び履歴リストに加え、評価点も含んでいる。なお、この評価点は、情報取得装置２の操作部２４に対する操作者の入力操作により付与される。
【００２４】
（情報検索ノウハウ管理システムの処理）
このような情報検索ノウハウ管理システム１の処理について説明する。なお、情報検索ノウハウ管理システム１においては、グループ内の各個人が情報取得装置２を用い、情報検索、情報登録、情報表示、カテゴリ分析及び検索評価等を行う。これに応じて、情報取得装置２及び情報共有管理装置３は各種の処理を実行する。
【００２５】
＜情報検索＞
情報を検索する検索者である個人は、情報取得装置２の操作部２４を操作し、例えば検索式を入力する。これに応じて、情報取得装置２は、その検索式に基づいてインターネット上のＷｅｂページを検索し、最終的に目的のＷｅｂページに到達する。個人は、その目的のＷｅｂページを再度参照する必要性がある場合等、その目的のＷｅｂページをお気に入り部２９に追加するため、情報取得装置２の操作部２４を操作し、目的のＷｅｂページにおいて「お気に入りに追加」を選択する。これに応じて、情報取得装置２は、目的のＷｅｂページのＵＲＬ、ＴＩＴＬＥ及び登録日をお気に入り部２９に登録し、加えて、その目的のＷｅｂページを取得するまでの履歴リストも目的のＷｅｂページに対応付けてお気に入り部２９に登録する。
【００２６】
さらに、検索者である個人は、情報取得装置２を用いて、目的のＷｅｂページの別名を入力する。これに応じて、情報取得装置２は、目的のＷｅｂページの別名をその目的のＷｅｂページに対応付けてお気に入り部２９に追加登録する。なお、別名のデフォルト（初期値）はＴＩＴＬＥに設定されている。
【００２７】
また、検索者である個人は、情報取得装置２の操作部２４を操作し、お気に入り部２９のある別名を選択する。これに応じて、情報取得装置２は、その別名に対応するＵＲＬを参照し、目的のＷｅｂページに対して通信部２３を経てＨＴＴＰプロトコルのＧＥＴ又はＰＯＳＴメソッドを送信し、応答情報の受信に待機する。情報取得装置２は、通信部２３により応答情報を受信し、その応答情報に基づいて画面作成部２２ａにより画像を形成し、その画像を画面部２２により表示する。なお、その応答情報は、キャッシュ部２５に蓄えられ、ＵＲＬや検索式等は履歴部２８に格納される。
【００２８】
＜情報登録＞
また、必要な情報を登録する登録者である個人は、情報共有管理装置３に必要な情報を登録するため、情報取得装置２の操作部２４を操作する。これに応じて、情報取得装置２は、通信部２３により必要な情報及びその必要な情報に対応するお気に入り情報を情報共有管理装置３に送信する。例えば、情報取得装置２は、お気に入り情報を添付ファイルとし、電子メールにより必要な情報を送信する。
【００２９】
情報共有管理装置３は、図５に示すように、情報取得装置２から送信された必要な情報及びお気に入り情報を通信部３２により受信し、情報登録読出部３１により、必要な情報を投稿情報として情報データベース３５ａに共有可能に格納し、その投稿情報に関連付けてお気に入り情報を検索情報として検索ノウハウデータベース３５ｂに共有可能に格納する。これにより、情報データベース３５ａの投稿情報と検索ノウハウデータベース３５ｂの検索情報との間には、リンクが張られる。
【００３０】
＜情報表示＞
また、投稿情報を閲覧する閲覧者である個人は、情報共有管理装置３から投稿情報を閲覧するため、情報取得装置２の操作部２４を操作する。これに応じて、情報取得装置２は、通信部２３により表示要求を情報共有管理装置３に送信する。
【００３１】
情報共有管理装置３は、図５に示すように、情報取得装置２から送信された表示要求に応じて、情報データベース３５ａ及び検索ノウハウデータベース３５ｂから投稿情報及びその投稿情報に対応する検索情報を取り出し、取り出した投稿情報及び検索情報を通信部３２により情報取得装置２に送信する。なお、情報共有管理装置３は、投稿情報に対応するリンクを辿り、検索ノウハウデータベース３５ｂの検索情報を取り出す。情報取得装置２は、情報共有管理装置３から送信された投稿情報及び検索情報を受信し、画面部２２により表示する。
【００３２】
ここで、閲覧者である個人が、お気に入り部２９のお気に入り情報の別名を選択したときに、例えば目的のＷｅｂページのＵＲＬが変更された場合等、すなわち目的のＷｅｂページがリンク切れである場合には、情報取得装置２は、その目的のＷｅｂページに対応する履歴リストを用いて、目的のＷｅｂページの再検索を行う。その後、情報取得装置２は、候補となったＷｅｂページの要約と履歴リストの要約との類似度を類似比較エンジン部２７により求める。それらが類似していると判断した場合には、候補となったＷｅｂページを目的のＷｅｂページとしてお気に入り部２９に再登録し、候補となったＷｅｂページを画面部２２により表示する。なお、情報共有管理装置３も類似比較エンジン部３４を備えているため、このような処理を行うことができる。
【００３３】
＜カテゴリ分析＞
また、カテゴリ分析を行う分析者である個人は、情報共有管理装置３によるカテゴリ分析を行うため、情報取得装置２の操作部２４を操作する。これに応じて、情報取得装置２は、通信部２３によりカテゴリ分析要求を情報共有管理装置３に送信する。
【００３４】
情報共有管理装置３は、図５に示すように、情報取得装置２から送信されたカテゴリ分析要求に応じて、情報データベース３５ａの投稿情報又は検索ノウハウデータベース３５ｂの検索情報をカテゴリ分析し、分析した分析結果を通信部３２により情報取得装置２に送信する。情報取得装置２は、情報共有管理装置３から送信された分析結果を受信して取得する。このようにして、投稿情報又は検索情報の分析、整理及び整頓が行われる。特に、検索情報の要約の分析、整理及び整頓が行われる。
【００３５】
＜検索評価＞
また、検索情報に対する評価を与える評価者である個人は、情報取得装置２の操作部２４を操作し、情報共有管理装置３の検索ノウハウデータベース３５ｂに格納された検索情報に対して評価点を与える。これに応じて、情報取得装置２は、通信部２３により評価点を含む評価情報を情報共有管理装置３に送信する。
【００３６】
情報共有管理装置３は、情報取得装置２から送信された評価情報を通信部３２により受信し、その評価情報を対応する検索ノウハウデータベース３５ｂの検索情報に追加登録する。なお、検索情報に含まれる履歴リストの各情報が少なく、評価点も低く、さらにリンクも切れている場合には、リンクの修正が行なわれず、その検索情報は検索ノウハウデータベース３５ｂから削除される。
【００３７】
（情報検索ノウハウ管理システムの処理の一部の検索処理）
次に、情報取得装置２の検索処理について詳しく説明する。
【００３８】
検索者である個人は、情報取得装置２を用いて、図６に示すように、Ｗｅｂブラウザ４１からインターネット網（インターネット）４ａ上の検索エンジン４２を使用し、インターネット網４ａ上の目的のＷｅｂページ（以下、目的ＷｅｂページＰ１とする）を検索し、目的ＷｅｂページＰ１を取得する。なお、インターネット網４ａは通信網４（図１参照）の一部である。
【００３９】
例えば、検索者である個人は、情報取得装置２の操作部２４を操作し、図７に示すように、検索エンジンＷｅｂページＰ２のサーチワード入力テキストボックスＢ１に検索式（サーチワード）を入力して検索を行う。これに応じて、情報取得装置２は、図８に示すように、検索エンジン結果表示として、ヒットしたＷｅｂページのタイトルのアンカーとその要約とを示す画面Ｇ１を画面部２２により表示する。検索者である個人は、情報取得装置２の操作部２４を操作し、画面Ｇ１のアンカーをクリックする。これに応じて、情報取得装置２は、図９に示すように、画面部２２により目的ＷｅｂページＰ１を表示する。
【００４０】
また、検索者である個人は、情報取得装置２を用いて、図１０に示すように、Ｗｅｂブラウザ４１からインターネット網４ａ上の目的サイト５１のサイト内検索サービス５２を使用し、目的サイト５１のイントラネット（イントラネット網）４ｂ上の目的ＷｅｂページＰ１を取得する。なお、大量の情報を公開しているサイトは、サイト内の情報を検索するサイト内検索サービス５２を有していることが多い。
【００４１】
ここで、検索エンジン４２に対して「ｓｅａｒｃｈ」という語と「ｗｏｒｄ」という語を検索式として入力した場合のＨＴＴＰプロトコルのＧＥＴメソッドの例としては、「ｈｔｔｐ：／／ｗｗｗ．○○．△△．ｃｏｍ／ｓｅａｒｃｈ？ｐ＝ｓｅａｒｃｈ＋ｗｏｒｄ」が挙げられる。この例では、パラメータｐに対して「ｓｅａｒｃｈ」という語と「ｗｏｒｄ」という語のＡＮＤを検索式として送信し、応答情報としてその検索式にヒットしたＷｅｂページの一覧を取得したいことを示している。
【００４２】
このとき、情報取得装置２の通信パーサ部２６ａは、パラメータｐを抽出し、キャッシュ部２５内に保持する。また、入力フック部２６ｂは、画面分析部２２ｂと共にＷｅｂブラウザのメッセージボックス等に入力された文字列「ｗｏｒｄ」をフックし、キャッシュ部２５内に保持する。なお、目的サイト５１のサイト内検索サービス５２によっては、ＨＴＴＰプロトコルのパラメタを抽出するパラメタ抽出をできないことが多い。この場合には、情報取得装置２の入力フック部２６ｂが、入力フォームに入れられた検索式をフックし、キャッシュ部２５内に保持する。このように、検索式は通信パーサ部２６ａあるいは入力フック部２６ｂにより得られる。
【００４３】
（情報検索ノウハウ管理システムの処理の一部の履歴処理）
次いで、情報取得装置２の履歴処理について詳しく説明する。
【００４４】
図１１に示すように、まず、パラメタ抽出部２６の通信パーサ部２６ａは、履歴部２８に格納された履歴リストをクリアする（ステップＳ１）。次に、通信パーサ部２６ａは、ＨＴＴＰプロトコルを捜査し、ＧＥＴ又はＰＯＳＴメソッドからＵＲＬを取得し（ステップＳ２）、同様に、ＨＴＴＰプロトコルを捜査し、パラメタ名及びパラメタ値、すなわち検索式を取得し（ステップＳ３）、取得したＵＲＬ及び検索式を履歴部２８の履歴リストに記録する（ステップＳ４）。
【００４５】
ここで、ＵＲＬは、通信パーサ部２６ａにより、ＨＴＴＰリクエストのＵＲＬ情報等から求められる。このＵＲＬは、Ｉｎｔｅｒｎｅｔ  Ｅｘｐｌｏｒｅｒ等のプラグインとして提供されてもよい。また、検索式が通信パーサ部２６ａにより取得される場合には、ＨＴＭＬファイルのｆｏｒｍタグで囲まれた＜ｉｎｐｕｔ  ｔｙｐｅ＝“ｔｅｘｔ”  ｎａｍｅ＝“××”＞がパースされ、ＨＴＴＰプロトコルの“ＮＡＭＥ＝○○＋△△＋□□＆”に対応する文字列、つまり“××”というパラメタ名と○○、△△及び□□とが検索式として抽出される。この例では、ＨＴＭＬに従っているが、Ｊａｖａ（登録商標）Ｓｃｒｉｐｔ等のＷｅｂページをパースすることも可能である。なお、検索式（パラメタ）は、“＝”、“＆”、及びＵＴＦ−８の文字列により出力される。
【００４６】
その後、通信パーサ部２６ａは、ＵＲＬが検索エンジンであるか否かを判断する（ステップＳ５）。ＵＲＬが検索エンジンであると判断した場合には（ステップＳ５のＹＥＳ）、要約をキャッシュ部２５に保存し、すなわちキャッシュし（ステップＳ６）、画面部２２がＷｅｂページを表示し、要約がキャッシュ部２５にある場合には、該当する要約を履歴リストに記録する（ステップＳ７）。一方、ＵＲＬが検索エンジンでないと判断した場合には（ステップＳ５のＮＯ）、ステップＳ７に処理を進める。
【００４７】
次いで、制御部２１は、現Ｗｅｂページが必要な情報、すなわち所望の情報を有する目的ＷｅｂページＰ１であるか否かを判断する（ステップＳ８）。例えば、現Ｗｅｂページにおいて、操作部２４に対する操作者の入力操作により「お気に入りに追加」が選択された場合、その現Ｗｅｂページが目的ＷｅｂページＰ１であると判断される。
【００４８】
現Ｗｅｂページが所望の情報を有する目的ＷｅｂページＰ１であると判断した場合には（ステップＳ８のＹＥＳ）、目的ＷｅｂページＰ１のＵＲＬやＴＩＴＬＥと共に、それらに対応付けて履歴部２８の履歴リストをお気に入り部２９に記録する（ステップＳ９）。一方、現Ｗｅｂページが所望の情報を有する目的ＷｅｂページＰ１でないと判断した場合には（ステップＳ８のＮＯ）、次のＷｅｂページ検索を行い（ステップＳ１０）、ステップＳ２に処理を戻す。
【００４９】
その後、情報取得装置２は、操作部２４に対する操作者の入力操作に応じて、通信部２３により、目的ＷｅｂページＰ１から得られた必要な情報及びその必要な情報に対応するお気に入り情報を情報共有管理装置３に送信する。
【００５０】
（履歴処理の一部の登録処理）
次いで、情報取得装置２の履歴処理の一部の登録処理について詳しく説明する。
【００５１】
図１２に示すように、通信パーサ部２６ａは、現Ｗｅｂページをキャッシュ部２５に保持し、すなわちキャッシュし（ステップＳ１１）、現Ｗｅｂページから次ＷｅｂページへのＨＴＴＰプロトコルのＧＥＴ又はＰＯＳＴメソッドに検索式（パラメタ）を含むか否かを判断する（ステップＳ１２）。
【００５２】
検索式を含むと判断した場合には（ステップＳ１２のＹＥＳ）、検索式の値が数字であるか否かを判断する（Ｓ１３）。検索式の値が数字でないと判断した場合には（ステップＳ１３のＮＯ）、全ての検索式の値の長さが２バイト以下であるか否かを判断する（ステップＳ１４）。全ての検索式の値の長さが２バイト以下でないと判断した場合には（ステップＳ１４のＮＯ）、キャッシュされた入力情報、すなわち現Ｗｅｂページを走査し、次Ｗｅｂページへジャンプするアンカーから次のアンカーまでを要約として設定し（Ｓ１５）、属性を検索エンジンとする（ステップＳ１６）。その後、履歴リストに属性、要約、ＵＲＬ及び検索式を登録する（ステップＳ１７）。
【００５３】
一方、検索式を含まないと判断した場合には（ステップＳ１２のＮＯ）、一般のＷｅｂページのアンカーによる遷移と認識し、検索式を「Ａ  ＨＲＥＦ」とし、要約を無しとし（ステップＳ１８）、さらに、属性を一般とする（ステップＳ１９）。また、検索式が数字であると判断した場合には（ステップＳ１３のＹＥＳ）、動的なＷｅｂページの遷移と認識し、検索式をサーチワードとせず、ステップＳ１８及びステップＳ１９を実行する。また、検索式が２バイト以下であると判断した場合には（ステップＳ１４のＹＥＳ）、動的なＷｅｂページの遷移と認識し、検索式をサーチワードと判断せず、ステップＳ１８及びステップＳ１９を実行する。その後、履歴リストに属性、要約、ＵＲＬ及び検索式を登録する（ステップＳ１７）。
【００５４】
このようにして、キャッシュ部２５上の通信文等の入力情報をパース（解析）することにより、属性、要約、ＵＲＬ及び検索式が履歴部２８の履歴リストに登録されていく。
【００５５】
（登録処理の一部のデコード処理）
次いで、情報取得装置２が備える通信パーサ部２６ａの検索式に対するデコード処理について説明する。
【００５６】
図１３に示すように、通信パーサ部２６ａは、まず、キャッシュ部２５内のパラメタ解析用キャッシュをクリアし（ステップＳ２１）、キャッシュ部２５からパラメタを読み込み（ステップＳ２２）、パラメタがあるか否かを判断する（ステップＳ２３）。
【００５７】
パラメタがないと判断した場合には（ステップＳ２３のＮＯ）、全パラメタを確定して、キャッシュ部２５に保存し（ステップＳ２４）、処理を終了する。一方、パラメタがあると判断した場合には（ステップＳ２３のＹＥＳ）、パラメタが“＆”であるか否かを判断する（ステップＳ２５）。
【００５８】
パラメタが“＆”であると判断した場合には（ステップＳ２５のＹＥＳ）、パラメタ解析用キャッシュの１検索式を確定して、キャッシュ部２５に保存し（ステップＳ２６）、処理をステップＳ２１に戻す。一方、パラメタが“＆”でないと判断した場合には（ステップＳ２５のＮＯ）、パラメタが“％”から開始するか否かを判断する（ステップＳ２７）。
【００５９】
パラメタが“％”から開始しないと判断した場合には（ステップＳ２７のＮＯ）、パラメタ解析用キャッシュの１文字を確定し（ステップＳ２８）、処理をステップＳ２１に戻す。一方、パラメタが“％”から開始すると判断した場合には（ステップＳ２７のＹＥＳ）、“％”から３つ分読み込み（ステップＳ２９）、ＵＴＦ８をデコードし（ステップＳ３０）、パラメタ解析用キャッシュの１文字を確定し（ステップＳ３１）、処理をステップＳ２１に戻す。
【００６０】
このようにして、検索式（パラメタ）は通信パーサ部２６ａによりデコード（復号化）、すなわち解析される。
【００６１】
（本発明の実施の形態に係る効果）
以上説明したように、本発明の実施の形態によれば、インターネット上の情報を検索して必要な情報を取得し、その検索に応じて検索履歴情報、例えば履歴リストを生成して取得し、取得した必要な情報及び履歴リストを対応付けて共有可能に管理することによって、必要な情報の入手過程が得られて管理され、その入手過程がグループ内で共有される。これにより、情報検索のノウハウがグループ内で共有されるので、グループ全体の情報検索能力を向上させることができる。
【００６２】
また、必要な情報を有するＷｅｂページのアドレス情報や要約情報、さらに検索に用いた検索式等を蓄積することによって、必要な情報の入手過程を確実に得ることができ、その結果として、その入手過程を正確に管理することができる。
【００６３】
また、検索履歴情報、例えば履歴リストをグループ内で公開することによって、グループ内で情報検索のノウハウを容易に共有することができる。例えば、インターネット上のＷｅｂページに基づいて得られた必要な情報がどのようなノウハウにより入手されたかを知ることができる。
【００６４】
また、検索履歴情報、例えば履歴リストをカテゴリ分析することによって、情報検索のノウハウの整理・整頓、及び新しい知識の抽出が行われる。例えば、カテゴリエンジン部３３を用いて、検索ノウハウデータベース３５ｂ内の各検索情報に含まれる要約をカテゴリ分析（カテゴライズ）することによって、検索ノウハウを階層的に分類したり、あるいは検索ノウハウを分析したりすることができる。また、カテゴリエンジン部３３を用いて、目的Ｗｅｂページ同士をカテゴリ分析することで、目的Ｗｅｂページを階層的に分類したりすることができる。
【００６５】
また、検索履歴情報、例えば履歴リストの優先度を決定することによって、優先度に応じて履歴リストの並び換えや履歴リストの削除を行うことができる。例えば、履歴リストの優先度として、検索情報に評価点を与えることによって、各検索情報に優先度を付与することが可能になり、評価点が高い検索情報は優先的にリストの上位にもってくることができる。
【００６６】
また、検索履歴情報、例えば履歴リストに基づいて再検索を行うことによって、目的ＷｅｂページＰ１がリンク切れとなった場合にも、自動的に目的ＷｅｂページＰ１と思われるＷｅｂページを探し出すことが可能になるので、リンク切れのＷｅｂページを自動的にリンク修復することができる。特に、検索エンジンによる要約が履歴リストに保持されているので、目的ＷｅｂページＰ１がリンク切れとなった場合にも、目的ＷｅｂページＰ１と思われるＷｅｂページを探し出すことができる。したがって、目的ＷｅｂページＰ１のＵＲＬが変更された場合等、リンク切れが発生した場合でも、再検索し、要約の類似度が高いＵＲＬを再度登録することができる。
【００６７】
また、お気に入り情報に登録日を含めることにより、お気に入り情報を時系列的に管理することができる。その結果として、情報検索のトレンドを分析することができる。例えば、過去に使用した目的Ｗｅｂページと現在用いている目的Ｗｅｂページとを判別することができる。また、時間的な範囲を指定し、その範囲内のお気に入り情報の別名を表示することもできる。これは、現在用いている目的Ｗｅｂページを見つることを容易にし、さらに、過去のある時期の目的Ｗｅｂページを見つけることも可能にする。
【００６８】
また、お気に入り情報がＵＲＬとＴＩＴＬＥだけを有する場合には、同じＷｅｂページに別々の別名を与えることが可能となり、同じＵＲＬが多重に登録されるため、混乱が生じる。したがって、ＵＲＬ及びＴＩＴＬＥ毎に別名を付与することによって、元のＴＩＴＬＥを比較し、警告を発することもできる。また、無意味なＴＩＴＬＥ（例えばｉｎｄｅｘ）のままでは、目的のＷｅｂページの内容を推測することは不可能であるが、内容を推移できるように別名を設定することにより、目的のＷｅｂページの内容を推測することが可能になる。
【００６９】
（他の実施の形態）
なお、本発明は、前述の実施の形態に限るものではなく、その要旨を逸脱しない範囲において種々変更可能である。
【００７０】
例えば、前述の実施の形態においては、情報取得装置２に類似比較エンジン部２７を設けているが、これに限るものではなく、例えば類似比較エンジン部２７を設けなくてもよい。この場合には、情報共有管理装置３の類似比較エンジン部３４が情報取得装置２の類似比較エンジン部２７に代わって同様の処理を行う。
【００７１】
また、前述の実施の形態においては、情報共有管理装置２に類似比較エンジン部３４を設けているが、これに限るものではなく、例えば類似比較エンジン部３４を設けなくてもよい。
【図面の簡単な説明】
【００７２】
【図１】本発明の実施の一形態に係る情報検索ノウハウ管理システムの概略構成を示す模式図である。
【図２】図１に示す情報検索ノウハウ管理システムが備える情報取得装置の概略構成を示すブロック図である。
【図３】図２に示す情報取得装置が備える履歴部の履歴リストを示す模式図である。
【図４】図１に示す情報検索ノウハウ管理システムが備える情報共有管理装置の概略構成を示すブロック図である。
【図５】図１に示す情報検索ノウハウ管理システムの処理を説明するための説明図である。
【図６】図１に示す情報検索ノウハウ管理システムの処理の一部の検索処理を説明するための説明図である。
【図７】検索エンジンのＷｅｂページの検索画面の一例を示す模式図である。
【図８】検索エンジンのＷｅｂページの検索結果を示す画面の一例を示す模式図である。
【図９】目的のＷｅｂページの画面の一例を示す模式図である。
【図１０】図６に示す検索処理の他の一例を説明するための説明図である。
【図１１】情報検索ノウハウ管理システムの処理の一部の履歴処理の流れを示すフローチャットである。
【図１２】図１１に示す履歴処理の一部の登録処理の流れを示すフローチャートである。
【図１３】図１２に示す登録処理の一部のデコード処理の流れを示すフローチャートである。
【符号の説明】
【００７３】
１…情報検索ノウハウ管理システム、２…情報取得装置、３…情報共有管理装置、４ａ…インターネット（インターネット網）
【図１】
2007128367.tif 000003
【図２】
2007128367.tif 000004
【図３】
2007128367.tif 000005
【図４】
2007128367.tif 000006
【図５】
2007128367.tif 000007
【図６】
2007128367.tif 000008
【図７】
2007128367.tif 000009
【図８】
2007128367.tif 000010
【図９】
2007128367.tif 000011
【図１０】
2007128367.tif 000012
【図１１】
2007128367.tif 000013
【図１２】
2007128367.tif 000014
【図１３】
2007128367.tif 000015